(57)【要約】【課題】使い勝手が良く、髪の手入れに適した霧を生成することが可能な髪ケア装置を得る。【解決手段】液体を霧化する霧化機構１Ｍを備えたヘアードライヤー１において、霧化機構１Ｍは、気体を圧縮するコンプレッサ２と、コンプレッサ２で圧縮された気体を噴射するノズル３と、ノズル３を通過する気体中に液体を供給する液体供給部４と、を備える。【選択図】図１
2009106363.tif 000002
【特許請求の範囲】
【請求項１】
液体を霧化する霧化機構を備えた髪ケア装置において、
前記霧化機構は、
気体を圧縮するコンプレッサと、
コンプレッサで圧縮された気体を噴射するノズルと、
ノズルを通過する気体中に液体を供給する液体供給部と、
を備えることを特徴とする髪ケア装置。
【請求項２】
液体供給部は、霧化する液体を貯留するタンクであることを特徴とする請求項１に記載の髪ケア装置。
【請求項３】
液体供給部は、冷却により空気中の水分を結露する水滴生成部であることを特徴とする請求項１に記載の髪ケア装置。
【請求項４】
送風用のファンを備え、前記コンプレッサをファンの駆動源から動力分配して駆動するようにしたことを特徴とする請求項１〜３のうちいずれか一つに記載の髪ケア装置。
【発明の詳細な説明】
【技術分野】
【０００１】
本発明は、髪ケア装置に関する。
【背景技術】
【０００２】
従来の髪ケア装置として、グリップ部に手動ポンプおよびタンクを内蔵し、タンク内の液体を手動ポンプによってスプレーノズルから噴霧するようにしたヘアードライヤーが知られている（例えば、特許文献１参照）。
【特許文献１】実開昭４８−４８８７８号公報
【発明の開示】
【発明が解決しようとする課題】
【０００３】
しかしながら、上記従来の髪ケア装置では、手動ポンプによって液体を霧化するのであるが、手動ポンプは使い勝手が良くない上、噴霧径が大きく、また噴霧径のばらつきも大きくなって、髪の手入れに適した霧が得られにくいという問題があった。
【０００４】
そこで、本発明は、使い勝手が良く、かつ髪の手入れに適した霧を生成しやすい髪ケア装置を得ることを目的とする。
【課題を解決するための手段】
【０００５】
請求項１の発明にあっては、液体を霧化する霧化機構を備えた髪ケア装置において、上記霧化機構は、気体を圧縮するコンプレッサと、コンプレッサで圧縮された気体を噴射するノズルと、ノズルを通過する気体中に液体を供給する液体供給部と、を備えることを特徴とする。
【０００６】
請求項２の発明にあっては、液体供給部は、霧化する液体を貯留するタンクであることを特徴とする。
【０００７】
請求項３の発明にあっては、液体供給部は、冷却により空気中の水分を結露する水滴生成部であることを特徴とする。
【０００８】
請求項４の発明にあっては、送風用のファンを備え、上記コンプレッサをファンの駆動源から動力分配して駆動するようにしたことを特徴とする。
【発明の効果】
【０００９】
請求項１の発明によれば、コンプレッサによって手動操作によらずに空気を圧縮して、当該圧縮された空気によって液体を霧化するため、手間をかけることなく、また噴霧の粒径を小さくでき、また粒径のばらつきも小さくすることができる。
【００１０】
請求項２の発明によれば、液体供給部をタンクとしたため、当該液体供給部の構成を簡素化することができる。
【００１１】
請求項３の発明によれば、液体供給部を冷却により空気中の水分を結露する水滴生成部としたため、液体供給部への液体の補給が不要となって、使い勝手を向上することができる。
【００１２】
請求項４の発明によれば、送風用のファンとコンプレッサとで駆動源を共用できるため、別個に駆動源を設ける場合に比べて装置構成を簡素化でき、髪ケア装置をよりコンパクトに構成することができる。
【発明を実施するための最良の形態】
【００１３】
以下、本発明の好適な実施形態について、図面を参照しながら詳細に説明する。なお、以下の複数の実施形態には、同様の構成要素が含まれている。よって、以下では、同様の構成要素について共通の符号を付与するとともに、重複する説明を省略する。
【００１４】
（第１実施形態）図１は、本発明の第１実施形態にかかる髪ケア装置の断面図である。この図１に示すように、本実施形態にかかる髪ケア装置としてのヘアードライヤー１は、霧化機構１Ｍと加熱送風機構１０とを備えている。
【００１５】
霧化機構１Ｍは、気体を圧縮するコンプレッサ２と、コンプレッサ２で圧縮された気体を噴射するノズル３と、ノズル３を通過する気体中に液体を供給する液体供給部４と、を備えている。これらコンプレッサ２、ノズル３および液体供給部４はケースＣ内に収納される。なお、本実施形態では、気体は空気であり、液体は水であるが、これには限定されない。
【００１６】
コンプレッサ２は、手動の押圧操作によらず、例えば電気的な動力で空気を圧縮する装置であり、例えば公知のターボ圧縮機や容積圧縮機等として構成することができる。コンプレッサ２は、電動モータ部と圧縮部とを内蔵しており、図示省略したスイッチのＯＮ／ＯＦＦの切換操作に応じて駆動制御されるようになっている。
【００１７】
ノズル３は、コンプレッサ２から延在する細長い管状部材によって構成されており、コンプレッサ２で圧縮された空気を先端噴射口３ａから所定方向に噴射するようになっている。本実施形態では、噴射方向を加熱送風機構１０による送風方向と略平行に設定してある。
【００１８】
液体供給部４は、霧化しようとする液体、つまり、本実施形態では水を貯留するタンク５である。このタンク５の底部が連通管５ａを介してノズル３の先端部分に連通されている。ここで、このタンク５からノズル３に所望の流量で液体が供給されるよう、連通管５ａあるいはタンク５には、適宜に通流抵抗が設定してある。
【００１９】
かかる構成の霧化機構１Ｍでは、コンプレッサ２によって圧縮された空気がノズル３から噴射され、そのとき、ノズル３を通過する空気中に液体供給部４から水が供給される。よって、微細化された噴霧が、圧縮空気とともにノズル３から噴出することになる。
【００２０】
加熱送風機構１０には、外郭１１ｃ内に、一端部（図中右方）の空気吸込口１１ａから他端部（図中左方）の空気吹出口１１ｂに至る送風路１１が形成されており、この送風路１１の内部にファン１２およびヒータ１３を直列に配置してある。
【００２１】
ファン１２は、ステー１４を介して外郭１１ｃの内側に取り付けたモータ１５の回転軸１５Ｓに取り付けてある。モータ１５の駆動によってファン１２が回転することにより、空気吸込口１１ａから吸い込んだ空気を空気吹出口１１ｂから吹き出すようになっている。なお、本実施形態ではファン１２を軸流ファンとして構成した場合を開示したが、もちろん、これに限ることなくシロッコファンや遠心ファン等の送風可能なファン形状であればよい。
【００２２】
ヒータ１３は、雲母等の耐熱薄板１３ａを十字状に組み付けて、その外周にニクロム線等の電気抵抗発熱線１３ｂを巻回して構成されている。
【００２３】
送風路１１内で、ファン１２は送風の上流側に配置され、ヒータ１３はファン１２より下流側に配置されている。ヒータ１３を作動させた状態では、ファン１２で発生した送風がヒータ１３で加熱され、空気吹出口１１ｂから温風が吹き出される。
【００２４】
以上の本実施形態によれば、コンプレッサ２によって空気を圧縮するため、手動機構で圧縮する場合に比べて容易にしかも精度良く噴出圧力を所望の値に高めることができる。したがって、より微細にしかもより均一化された噴霧を形成することができる。また、手動操作によって空気を圧縮する場合に比べて、使用者の手間を大幅に減らし、使い勝手の良いヘアードライヤー１を得ることができる。
【００２５】
また、液体供給部４をタンク５としたため、当該液体供給部４の構成を簡素化することができる。
【００２６】
（第２実施形態）図２，図３は本発明の第２実施形態を示している。このうち、図２は、髪ケア装置の断面図、図３は、図２中Ａ部の拡大断面図である。
【００２７】
図２に示すように、本実施形態にかかるヘアードライヤー１Ａは、上記第１実施形態と全く同様の加熱送風機構１０を備えるとともに、基本構成が類似する霧化機構１ＭＡを備えている。
【００２８】
ただし、本実施形態では、霧化機構１ＭＡの液体供給部４として、冷却により空気中の水分を結露するペルチェユニット６（水滴生成部）を備えている。
【００２９】
ペルチェユニット６は、図３に示すように、熱電素子６ａを挟んで一対の電極板６ｂ，６ｃを配置して概ね構成してある。そして、両電極板６ｂ，６ｃ間を通電することにより、一方の電極板６ｂが冷却されるとともに、他方の電極板６ｃが加熱され、その電極板６ｃの熱を放熱フィン６ｄによって逃がすようになっている。このとき、冷却側の電極板６ｂを全体的にノズル３に接触させて配置し、ノズル３のうち当該電極板６ｂが接触する部分を冷却して、当該部分の内側（内面）に結露（水滴）ｄが生じるようにしてある。こうして、ノズル３の内側に生じた結露（水滴）ｄが高圧の空気とともにノズル３から噴射され、これにより微細な噴霧が形成される。
【００３０】
以上の本実施形態によれば、液体供給部４を、冷却により空気中の水分を結露ｄするペルチェユニット６で構成したので、液体供給部４に水を補給することなくノズル３側への水分の供給が可能となり、より一層使い勝手の良いヘアードライヤー１Ａを得ることができる。
【００３１】
（第３実施形態）図４は、本発明の第３実施形態にかかる髪ケア装置の断面図である。この図４に示すように、本実施形態にかかる髪ケア装置としてのヘアードライヤー１Ｂは、上記第１実施形態と全く同様の加熱送風機構１０を備えるとともに、基本構成が類似する霧化機構１ＭＢを備えている。
【００３２】
ただし、本実施形態では、霧化機構１ＭＢのコンプレッサ２を、送風用のファン１２の駆動源であるモータ１５から動力分配して駆動している。
【００３３】
すなわち、モータ１５の動力分配は、モータ１５の回転軸１５Ｓおよびコンプレッサ２の駆動軸２Ｓにそれぞれプーリ２０，２０ａを設け、それらプーリ２０，２０ａ間にベルト２１を周回させ、これによりモータ１５の回転軸１５Ｓの回転をコンプレッサ２の駆動軸２Ｓに伝達するものである。したがって、かかる構成では、モータ１５は、ファン１２を回転するとともに、プーリ２０，２０ａおよびベルト２１を介してコンプレッサ２を駆動することになる。
【００３４】
以上の本実施形態によれば、コンプレッサ２は、ファン１２を駆動するモータ１５から動力分配して駆動されるため、別個に駆動源を設ける場合に比べてヘアードライヤー１Ｂの装置構成を簡素化して、よりコンパクトに構成することができる。
【００３５】
なお、液体供給部４は、上記第２実施形態のヘアードライヤー１Ａと同様にペルチェユニット６（図３参照）として構成してもよい。
【００３６】
（第４実施形態）図５は、本発明の第４実施形態にかかる髪ケア装置の断面図である。この図５に示すように、本実施形態にかかる髪ケア装置としてのヘアーアイロン１００は、グリップ部１０１の先端部１０１ａから突出した巻付け胴部１０２と、この巻付け胴部１０２の基部１０２ａに回動支持部１０３を介して回動可能かつ閉じ方向に付勢して連結した押え板１０４と、を備えて概ね構成してある。１０４Ｌは押え板１０４を開く際に握持するレバーである。
【００３７】
そして、巻付け胴部１０２は中空状に形成し、その内部にヒータ１０５を設置して、巻付け胴部１０２と押え板１０４との間に髪を挟んで、それらの外側に髪を巻き付けて加熱することにより、髪にカールを付けることができるようになっている。
【００３８】
ここで、本実施形態にかかるヘアーアイロン１００は、第１実施形態に示したものと同様の霧化機構１Ｍを内蔵している。すなわち、グリップ部１０１内を空洞状に形成して、その空洞部１０１Ｓ内にコンプレッサ２、ノズル３、および液体供給部４を配設してある。
【００３９】
コンプレッサ２は、上記第１実施形態と同様に空気を圧縮する。また、ノズル３は、先端噴射口３ａをグリップ部１０１の先端部１０１ａに開口してあり、その先端噴射口３ａからコンプレッサ２で圧縮された空気を巻付け胴部１０２の近傍に噴出させるようになっている。さらに、液体供給部４は、水を貯留するタンク５とし、連通管５ａを介してノズル３の先端部分に連通させてある。
【００４０】
よって、本実施形態にかかるヘアーアイロン１００では、巻付け胴部１０２と押え板１０４との間に髪を挟んで加熱して髪にカールを付ける際に、霧化機構１Ｍを作動させ、ノズル３から微粒化された噴霧を噴射することができる。したがって、巻付け胴部１０２に巻回した髪を矯正しやすくなる。
【００４１】
そして、本実施形態によれば、コンプレッサ２を含む霧化機構１Ｍを設けたため、手動操作によって空気を圧縮する場合に比べて、使用者の手間を大幅に減らし、使い勝手の良いヘアーアイロン１００を得ることができる。
【００４２】
なお、このヘアーアイロン１００において、霧化機構は、上記第２または第３実施形態にかかる霧化機構１ＭＡ，１ＭＢとして構成してもよい。
【００４３】
（第５実施形態）図６は、本発明の第５実施形態にかかる髪ケア装置の断面図である。この図６に示すように、本実施形態にかかる髪ケア装置としてのヘアーブラシ２００は、ブリスル群２０１を突設した胴部２０２と、この胴部２０２を取り付けたグリップ部２０３と、によって概ね構成してあり、胴部２０２内を空洞部２０２Ｓとしてある。
【００４４】
そして、本実施形態のヘアーブラシ２００は、第１実施形態に示したものと同様の霧化機構１Ｍを内蔵している。すなわち、グリップ部１０１の空洞部２０２Ｓ内にコンプレッサ２、ノズル３、および液体供給部４を配設してある。
【００４５】
コンプレッサ２は、上記第１実施形態と同様に空気を圧縮する。また、ノズル３は、先端噴射口３ａを胴部２０２のブリスル群２０１を配置した側の基部に開口してあり、その先端噴射口３ａからコンプレッサ２で圧縮された空気をブリスル群２０１に向けて噴出させるようになっている。さらに、液体供給部４は、水を貯留するタンク５とし、連通管５ａを介してノズル３の先端部分に連通させてある。
【００４６】
よって、本実施形態にかかるヘアーブラシ２００では、ブリスル群２０１で毛髪を梳かす際に、霧化機構１Ｍを作動させ、ノズル３から微粒化された噴霧を噴射することができる。したがって、ブリスル群２０１で梳かす髪を矯正しやすくなる。
【００４７】
そして、本実施形態によれば、コンプレッサ２を含む霧化機構１Ｍを設けたため、手動操作によって空気を圧縮する場合に比べて、使用者の手間を大幅に減らし、使い勝手の良いヘアーブラシ２００を得ることができる。
【００４８】
なお、このヘアーブラシ２００において、霧化機構は、上記第２または第３実施形態にかかる霧化機構１ＭＡ，１ＭＢとして構成してもよい。
【００４９】
以上、本発明の好適な実施形態について説明したが、本発明は上記実施形態およびその変形例に限定されるものではなく、種々に変形することが可能である。
【図面の簡単な説明】
【００５０】
【図１】本発明の第１実施形態にかかる髪ケア装置の断面図である。
【図２】本発明の第２実施形態にかかる髪ケア装置の断面図である。
【図３】図２中Ａ部の拡大断面図である。
【図４】本発明の第３実施形態にかかる髪ケア装置の断面図である。
【図５】本発明の第４実施形態にかかる髪ケア装置の断面図である。
【図６】本発明の第５実施形態にかかる髪ケア装置の断面図である。
【符号の説明】
【００５１】
１，１Ａ，１Ｂ  ヘアードライヤー（髪ケア装置）
１Ｍ，１ＭＡ，１ＭＢ  霧化機構
２  コンプレッサ
３  ノズル
４  液体供給部
５  タンク
６  ペルチェユニット（水滴生成部）
１０  ドライヤー（髪ケア装置）
１５  モータ
１００  髪巻きアイロン（髪ケア装置）
２００  ヘアーブラシ（髪ケア装置）
【図１】
2009106363.tif 000003
【図２】
2009106363.tif 000004
【図３】
2009106363.tif 000005
【図４】
2009106363.tif 000006
【図５】
2009106363.tif 000007
【図６】
2009106363.tif 000008